(57)【要約】【課題】ユーザと、離れて位置するサーバーとの間のオープン通信ネットワーク上で開始される取引を行うための方法が提供される。【解決手段】トランザクションＩＤ番号がサーバーから受信され、その後ユーザと、離れて位置するサーバーの間の通信が中止される。通信はユーザとトランザクション・サーバーとの間で確立される。トランザクション・サーバーは、オープン・ネットワークから分離された通信ネットワーク上でユーザおよび離れて位置するサーバーに動作できるように結合される。トランザクションＩＤ番号は、トランザクション・サーバーに送信される。トランザクション・サーバーがトランザクションＩＤ番号の有効性を確認した後、トランザクション・サーバーからの要求に応答して、トランザクションＩＤ番号が、通信ネットワーク上でトランザクション・サーバーに送信されて取引を完了する。【選択図】図１
2010055639.tif 000002
【特許請求の範囲】
【請求項１】
ユーザの端末（１０）と遠隔配置されたサーバ（１８）との間でオープン通信ネットワーク（１２）を介して開始される取引を行うための方法であって、該ユーザの端末（１０）は、プロセッサを備えており、入力／出力機器（１６）に接続され、該入力／出力機器（１６）は、該オープン通信ネットワーク（１２）を介して該遠隔配置されたサーバ（１８）と接続されると共に、該オープン通信ネットワーク（１２）から分離されている一の通信ネットワーク（１３）を介してトランザクション・サーバ（１９）に接続されており、
ａ．該オープン通信ネットワーク（１２）を介して該遠隔配置されたサーバ（１８）からのトランザクションＩＤ番号を該ユーザの端末（１０）で受信するステップと、
ｂ．該オープン通信ネットワーク（１２）から分離されている他の通信ネットワーク（１１）を介して該遠隔配置されたサーバ（１８）に接続されている該トランザクション・サーバ（１９）と該ユーザの端末（１０）との間の通信を該ユーザの端末（１０）を介して確立するステップとを含み、該確立するステップ（ｂ）は、
ｂ１．該ユーザの端末（１０）の該プロセッサを使用して該トランザクションサーバ（１９）のルーティング情報を取得するステップと、
ｂ２．該ユーザの端末（１０）の該プロセッサを使用して該入力／出力機器（１６）に該取得したルーティング情報を該ユーザ端末（１０）を介して送信し、該入力／出力機器（１６）に該オープン通信ネットワーク（１２）から該一の通信ネットワーク（１３）へと接続の切換えを実行させるステップとを含み、
ｃ．該オープン通信ネットワーク（１２）から分離されている該一の通信ネットワーク（１３）を介して該ユーザの端末（１０）から該トランザクション・サーバ（１９）に該トランザクションＩＤ番号を送信するステップと、
ｄ．トランザクション・サーバ（１９）がトランザクションＩＤ番号の有効性を確認した後、該トランザクション・サーバ（１９）からの要求に応答して、該一の通信ネットワーク（１３）を介してトランザクション承認番号を該トランザクション・サーバ（１９）に送信し、取引を完了するステップとを含む方法。
【請求項２】
請求項１に記載の方法において、ステップ（ｃ）及び（ｄ）が、該ユーザからの要求に応答して自動的に発生し、取引を完了する方法。
【請求項３】
請求項２に記載の方法において、ステップ（ｃ）及び（ｄ）が、実質上該ユーザに明白な形で発生する方法。
【請求項４】
請求項１に記載の方法において、該ユーザの端末（１０）と該トランザクション・サーバ（１９）との間の該一の通信ネットワーク（１３）を介した通信が、少なくとも部分的には電話リンク上で動作する暗号化プロトコルを利用する方法。
【請求項５】
請求項１に記載の方法において、該オープン・ネットワーク（１２）がインターネットを含む方法。
【請求項６】
請求項５に記載の方法において、該オープン・ネットワーク（１２）がワールド・ワイド・ウェブを含む方法。
【請求項７】
請求項１に記載の方法において、該ユーザの端末（１０）が、該遠隔配置されたサーバ（１８）及び該トランザクション・サーバ（１９）とパーソナル・コンピュータを介して通信する方法。
【請求項８】
請求項１に記載の方法において、該遠隔配置されたサーバ（１８）が、販売者によって該オープン通信ネットワーク（１２）上で広告を出すために利用される方法。
【請求項９】
請求項８に記載の方法において、該取引が商品購入を含む方法。
【請求項１０】
請求項９に記載の方法において、該トランザクション承認番号がクレジット・カード番号である方法。
【請求項１１】
請求項１に記載の方法において、ステップ（ａ）がさらに、該遠隔配置されたサーバ（１８）から該トランザクション・サーバ（１９）の電話番号を受信するステップを含む方法。
【請求項１２】
請求項１に記載の方法において、ステップ（ｂ２）が、該遠隔配置されたサーバ（１８）をホールド状態に置くことによって、該ユーザの端末（１０）と該遠隔配置されたサーバ（１８）との間の通信を中止するステップを含む方法。
【請求項１３】
請求項１に記載の方法において、ステップ（ｂ）の該通信が該ユーザによって開始される方法。
【請求項１４】
請求項１３に記載の方法において、該ユーザの端末（１０）が、該トランザクション・サーバ（１９）の局所的に保存された電話番号を検索するステップを行うことによって、該トランザクション・サーバ（１９）との通信を開始する方法。
【請求項１５】
請求項１３に記載の方法において、該ユーザの端末（１０）が、該通信ネットワーク（１３）に置かれたディレクトリから電話番号を検索することによって、該トランザクション・サーバ（１９）との通信を開始する方法。
【請求項１６】
請求項６に記載の方法において、該取引が、ワールド・ワイド・ウェブ・ブラウザを使うユーザによって開始される方法。
【請求項１７】
請求項１に記載の方法において、
ｅ．該ユーザの端末（１０）と該トランザクション・サーバ（１９）との間の通信を中止するステップと、
ｆ．その後該ユーザの端末（１０）と該離れて位置するサーバ（１８）との間の通信を再開するステップとをさらに含む方法。
【請求項１８】
請求項１７に記載の方法において、ステップ（ｅ）及び（ｆ）が、ステップ（ｄ）の完了後自動的に発生する方法。
【請求項１９】
コード化されたコンピュータ・プログラムを格納し、ユーザの端末（１０）と遠隔配置されたサーバ（１８）との間でオープン通信ネットワーク（１２）を介して開始される取引を行うのに使用されるコンピュータ可読媒体であって、該ユーザの端末（１０）は、プロセッサを備えており、入力／出力機器（１６）に接続され、該入力／出力機器（１６）は、該オープン通信ネットワーク（１２）を介して該遠隔配置されたサーバ（１８）と接続されると共に、該オープン通信ネットワーク（１２）から分離されている一の通信ネットワーク（１３）を介してトランザクション・サーバ（１９）に接続されており、該プロセッサは、該コンピュータ・プログラムの指令に従い、該ユーザの端末（１０）に、
ａ．  該オープン通信ネットワーク（１２）を介して該遠隔配置されたサーバ（１８）からトランザクションＩＤ番号を該ユーザの端末（１０）で受信する動作と、
ｂ．  該オープン通信ネットワーク（１２）から分離されている該一の通信ネットワーク（１３）を介して該ユーザの端末（１０）と該トランザクション・サーバ（１９）との間の通信を確立する動作とを実行させ、該通信を確立する動作（ｂ）は、
ｂ１．    該トランザクションサーバ（１９）のルーティング情報を取得する動作と、
ｂ２．    該取得したルーティング情報を該入力／出力機器（１６）に送信して、該入力／出力機器（１６）に該オープン通信ネットワーク（１２）から該一の通信ネットワーク（１３）へと接続の切換えを実行させる動作とを含み、
ｃ．    該オープン通信ネットワーク（１２）から分離されている該一の通信ネットワーク（１３）を介して該ユーザの端末（１０）から該トランザクション・サーバ（１９）に該トランザクションＩＤ番号を送信する動作と、
ｄ．  該トランザクション・サーバ（１９）が該トランザクションＩＤ番号の有効性を確認した後、該トランザクション・サーバ（１９）からの要求に応答して、該オープン通信ネットワーク（１２）から分離されている該一の通信ネットワーク（１３）を介してトランザクション承認番号を該トランザクション・サーバ（１９）に送信し、取引を完了する動作とを実行させるコンピュータ可読媒体。
【請求項２０】
請求項１９に記載のンピュータ可読媒体において、該動作ｃ及びｄが、該ユーザの端末（１０）からの要求に応答して自動的に実行され取引を完了するコンピュータ可読媒体。
【請求項２１】
請求項２０に記載のコンピュータ可読媒体において、該動作ｃ及びｄが、実質上該ユーザに対して透明な形で実行されるコンピュータ可読媒体。
【請求項２２】
請求項１９に記載のコンピュータ可読媒体において、該動作ｂ、ｃ、及びｄが、少なくとも部分的には電話リンク上で動作する暗号化プロトコルを利用するコンピュータ可読媒体。
【請求項２３】
請求項１９に記載のコンピュータ可読媒体において、該オープン通信ネットワーク（１２）がインターネットを含むコンピュータ可読媒体。
【請求項２４】
請求項２３に記載のコンピュータ可読媒体において、該オープン通信ネットワーク（１２）がワールド・ワイド・ウェブを含むコンピュータ可読媒体。
【請求項２５】
請求項１９に記載のコンピュータ可読媒体において、該遠隔配置されたサーバ（１８）が、販売者によって、該オープン通信ネットワーク（１２）上で広告を出すために利用されるコンピュータ可読媒体。
【請求項２６】
請求項２５に記載のコンピュータ可読媒体において、該取引が商品購入を含むコンピュータ可読媒体。
【請求項２７】
請求項２６に記載のコンピュータ可読媒体において、該トランザクション承認番号がクレジット・カード番号であるコンピュータ可読媒体。
【請求項２８】
請求項１９に記載のコンピュータ可読媒体において、該動作ａは、該遠隔配置されたサーバ（１８）から該トランザクション・サーバ（１９）の電話番号を受信する動作を含むコンピュータ可読媒体。
【請求項２９】
請求項１９に記載のコンピュータ可読媒体において、該動作ｂ２は、該遠隔配置されたサーバ（１８）をホールド状態に置くことによって、該ユーザの端末（１０）と該遠隔配置されたサーバ（１８）との間の通信を中止する動作を含むコンピュータ可読媒体。
【請求項３０】
請求項１９に記載のコンピュータ可読媒体において、該動作ｂは、該ユーザの端末（１０）と該トランザクション・サーバ（１９）との間の通信を開始する動作を含むコンピュータ可読媒体。
【請求項３１】
請求項１９に記載のコンピュータ可読媒体において、該動作ｂは、該コンピュータ可読媒体から該トランザクション・サーバ（１９）の局所的に保存された電話番号を検索することによって、該トランザクション・サーバ（１９）との通信を開始する動作を含むコンピュータ可読媒体。
【請求項３２】
請求項３０に記載のコンピュータ可読媒体において、該動作ｂは、該オープン通信ネットワーク（１２）から分離されている該通信ネットワーク（１３）内に位置するディレクトリから電話番号を検索することによって、該トランザクション・サーバ（１９）との通信を開始する動作を含むコンピュータ可読媒体。
【請求項３３】
請求項２４に記載のコンピュータ可読媒体において、該プロセッサは、該コンピュータ・プログラムの指示に従って、
ｅ．  ワールド・ワイド・ウェブ上でブラウズする動作をさらに実行するコンピュータ可読媒体。
【発明の詳細な説明】
【技術分野】
【０００１】
本発明は、概して、オープン通信ネットワーク上で安全な取引を行うための方法に関し、より詳細には、ワールド・ワイド・ウェブでの商品購入のような取引を行うための方法と装置に関する。
【背景技術】
【０００２】
インターネット、詳細にはワールド・ワイド・ウェブのようなオープン公衆ネットワークは、営業用の販売経路としてはなはだしい成長を経験した。こうした業務は、通常１つかそれ以上の製品またはサービスの販売を促進するインターネット・サイトを提供する。もちろん、顧客が実際にインターネット上で取引を完了し、製品またはサービスを購入できれば便利である。しかし、インターネットはデータ保護の保証のないオープンな環境であり、従って第三者が伝送中のデータにアクセスしたりそれを変更したりできるため、インターネットを伝わるデータ・トラフィックを保護することは現在困難である。従って、クレジット・カード番号のような注意を要するデータは、十分な安全性の保証を持ってインターネット上で送信することはできない。
【０００３】
インターネット上でデータを保護するための、多様な技術が探求されてきた。これらの技術の多くは、制限された時間について十分な安全を提供するデータ暗号化を含むものである。しかし、暗号化スキームを見破るための技術は、暗号化技術自体と同じ早さで開発され、暗号解読のために必要とされる計算パワーと通信システムは急速にどこにでもある安価なものになっているので、暗号化技術は絶えず見破られる危険にさらされている。さらに、インターネット上で安全を提供する技術的問題に加えて、単に人々がその安全性を疑うだけでも、インターネット上で電子取引を行う上で大きな社会文化的障害となっている。従って、インターネット上で十分に安全な取引を行うための便利な方法を提供することが望ましい。
【発明の概要】
【課題を解決するための手段】
【０００４】
本発明は、ユーザと、離れて位置するサーバーとの間のオープン通信ネットワーク上で開始される取引を行うための方法を提供する。オープン通信ネットワークとは、例えばインターネットである。本方法の実施形態の１つによれば、トランザクションＩＤ（識別）番号が、オープン・ネットワーク上の離れて位置するサーバーから受信され、その後ユーザと、離れて位置するサーバーとの間の通信が中止される。通信はユーザとトランザクション・サーバーとの間で確立される。トランザクション・サーバーは、オープン・ネットワークから分離された通信ネットワーク上で、ユーザおよび離れて位置するサーバーに動作できるように結合されている。トランザクションＩＤ番号は、通信ネットワーク上でトランザクション・サーバーに向けて送信される。トランザクションＩＤ番号の有効性を確認した後、トランザクション・サーバーはトランザクション承認番号を要求する。この要求に応答して、トランザクション承認番号が、通信ネットワーク上をトランザクション・サーバーに向けて送信され、取引を完了する。
【０００５】
通信中、離れて位置するサーバーとトランザクション・サーバーの間の移行は、ユーザからの取引完了要求によって自動的に発生する。従って、ユーザは非常に便利な方法で安全な取引を行うことができる。
【図面の簡単な説明】
【０００６】
【図１】ワールド・ワイド・ウェブに組み込まれる、本発明に従って構成されたシステムの一例を示す。
【図２】本発明に従って、ワールド・ワイド・ウェブからある品目を購入するために使われるプロセスの実施形態の１つを例示する流れ図を示す。
【発明を実施するための形態】
【０００７】
本発明は、個人がオープン・ワールド・ワイド・ウェブ（ＷＷＷ）をブラウズし、シームレスな方法で、ＷＷＷから分離された安全な電子通信媒体上で安全な取引ができるようにする。こうした安全な通信媒体は、例えば、銀行によって、顧客がパーソナル・コンピュータでホーム・バンキングができるようにするために利用されることが多い。こうした通信媒体は、通常電話リンク上で動作する暗号化専用プロトコル（すなわち、回線交換ＰＯＴＳ接続）を利用する。図１は、ＷＷＷに組み込まれている、本発明によるシステムの一例を示す。
【０００８】
パーソナル・コンピュータ１０または他のデータ処理機器が、インターネット・プロバイダー・ゲートウェイ１４を経由して、オープン・インターネット１２、詳細にはＷＷＷに結合される。コンピュータ１０は通常モデムを含む入力／出力機器１６を経由してゲートウェイ１４とインターフェースを有する。コンピュータ１０は、従来の方法でウェブ・ブラウザを使ってＷＷＷを検索し、例えば、製品またはサービスを広告するベンダー（販売者）を表す、離れて位置するサーバー１８と通信するために、ユーザによって利用される。ウェブ・ブラウザの例には、例えば、ネットスケープ・ナビゲーターや、マイクロソフト・インターネット・エクスプローラが含まれる。
【０００９】
現在、ユーザが販売者から製品またはサービスの購入を希望する場合、ユーザはネットワーク上でクレジット・カード番号を提供するので、たとえ暗号化技術が利用されても、第三者がカード番号にアクセスする可能性がある。しかし、本発明によれば、注意を要するデータはオープンＷＷＷ上では決して送信されないので、この問題は避けられる。逆に、購入を行うというユーザの要求に応答して、販売者１８は、ＷＷＷ上のユーザ１０と、インターネットから分離されたトランザクション・サーバー１９の両方に購入注文番号を送信する。販売者１８は、インターネットから分離された、何らかの望ましい通信システム１１上でトランザクション・サーバー１９と通信する。このシステム１１は、従来銀行業務のために使われているような何らかの電話リンク上で動作する専用プロトコルを利用する。
【００１０】
その後ユーザは、ＷＷＷから分離された、やはり電話リンク上で動作する専用プロトコルを利用する別の通信システム１３でコンピュータ１０とトランザクション・サーバー１９の間の通信を開始することによって購入代金を支払う。ユーザは、トランザクション・サーバー１９に購入注文番号を提供し、クレジット番号を提供することによって購入の完了に進む。トランザクション・サーバー１９はオープンＷＷＷから分離されているので、注意を要する情報を通信することに内在する危険は避けられる。ユーザとトランザクション・サーバーの間の取引は、従来の電話によって提供される安全性か、好適には、専用ホーム・バンキング、税金申告または請求支払い通信システムによって提供される安全性と少なくとも同程度の安全性を有する。電話システムでデータを送信するための専用プロトコルを利用するシステムは、消費者が、この方法で（例えば、データを口頭で伝えたりファックスしたりすることによって）注意を要するデータを送信することが、全般的に安全だと考えているため、有利である。この考えは、オンライン・バンキング、税金申告および請求支払いシステムの成功によって支持される。
【００１１】
ここで使われる「分離された」という術語は、物理的な分離ではなく、情報の転送に関する分離に関するものであることに留意されたい。例えば、通信システム１３の一部とインターネット１２は、ユーザのローカル電話線のような、同じ物理的リンクを提供している。しかし、通信システム１３とインターネット１２はお互いに通信しない。
【００１２】
本発明の一態様によれば、コンピュータ１０で実行され、関連する詳細がユーザに見えないように、ＷＷＷ１２からトランザクション・サーバ１９への遷移を通信において自動的に行うソフトウェアがユーザに提供される。すなわち、ユーザが注文を出したいと思うとき、手動でＷＷＷ１２から切断し、分離通信システム上でトランザクション・サーバ１９との通信を開始する必要はない。むしろ、コンピュータ１０に常駐するソフトウェアが、コンピュータ１０がＷＷＷから切断して別のネットワークと通信を開始したことをユーザが知ることさえないように、上記の遷移を行う。
【００１３】
図２は、本発明に従って、ＷＷＷからある品目を購入するために使われるプロセスの実施形態の１つを例示する流れ図である。図２の各ブロックは、本発明によって企図される機能を提供するためにパーソナル・コンピュータによって行われる動作を示す。コンピュータによって行われる動作は、コンピュータに常駐するソフトウェアか、カスタマイズされた集積回路を通じた直接電気接続か、またはその両方の組み合わせによって、プログラムとして実現される。
【００１４】
このプロセスは、従来の方法でコンピュータとＷＷＷの間の通信が確立されるステップ２００から始まる。ユーザはＷＷＷの公衆サイトをブラウズし、最終的に販売者から製品またはサービスを購入することを決定する。ユーザのコンピュータは図２のステップ２０９で購入注文番号を受信する。販売者は、ユーザの要求に応答して購入注文番号を発行し、注文番号をトランザクション・サーバーとユーザのコンピュータ１０の両方に送信する。販売者は、ユーザが適当なトランザクション・サーバーにコンタクトするようにし向け、さらに、ユーザに、例えば８００ナンバー（フリーダイヤルの番号）である、サーバーの電話番号を提供する。この電話番号は、特定のトランザクション・サーバーに固有であるか、または、（各トランザクション・サーバーが、各々が固有の電話番号を有する異なった販売者に関連する要求を受信できるように）トランザクション・サーバーと販売者の両方に固有である。さらに、本発明は、必要な場合、また販売者が１つ以上のトランザクション・サーバーと共同して業務を行う場合、複数のトランザクション・サーバーの提供を考慮する。
【００１５】
ステップ２０１では、ＷＷＷとコンピュータの間の通信が、通信セッションを中止することか、またはＷＷＷへの接続を、三方向呼び出しサービス経由ホールド状態にすることのいずれかによって、一時停止される。ステップ２０３では、コンピュータは安全なネットワーク上でトランザクション・サーバーとの通信を確立する。前に記したように、販売者はユーザに適当な電話番号を提供する。これは、販売者がそのウェブ・ページに電話番号を表示するという簡単な方法で達成される。しかし、電話番号がサーバーからユーザに送信される間に第三者がその電話番号を変更し、ユーザが第三者にとってアクセス可能な電話番号を呼び出すようにすることによって、ユーザのクレジット・カード番号を不正に入手する可能性があるので、このスキームは十分安全ではない。
【００１６】
本発明の他の実施形態では、トランザクション・サーバーの電話番号は、コンピュータに局所的に保存されるか、またはユーザは、トランザクション・サーバーを含む安全な通信システムに置かれたディレクトリから適当な電話番号を検索できる。ディレクトリの電話番号は、コンピュータに保存されるか、販売者によって提供される。ディレクトリはトランザクション・サーバー自体に常駐するか、安全なシステムと通信する別のコンポーネントに常駐する。本発明のある特定の実施形態では、コンピュータはまず販売者のユニフォーム・リソース・ロケータ（ＵＲＬ）を使用し、局所的に保存されたディレクトリからトランザクション・サーバーの電話番号を検索しようとする。番号が見つからない場合、コンピュータは自動的に安全なネットワークに置かれたディレクトリに電話し、適当な電話番号をダウンロードする。電話番号がまだ見つからない場合、コンピュータはユーザに適当な番号を提供させる。最後に、その番号が使えない場合、試行された取引は中止され、コンピュータはホールドされていたＷＷＷの販売者のサイトに戻る。この状態で顧客サービスが呼び出される。
【００１７】
ステップ２０３に戻ると、トランザクション・サーバーとの通信が確立された後、ステップ２０２で、ユーザはサーバーに購入注文番号を提供する。トランザクション・サーバーは購入注文を見つけて、ユーザに購入される製品またはサービスのリストを送り返す。ユーザは購入を承認し、ステップ２０４でクレジット・カード番号を提供して取引を完了する。コンピュータとトランザクション・サーバーとの取引が完了すると、コンピュータはステップ２０５でトランザクション・サーバーとの通信セッションを終了し、ステップ２０７でＷＷＷとの通信を再開する。トランザクション・サーバーはその後完了した注文を販売者に送り返すか、または直接出荷部に送信する。
【００１８】
本発明の１つの実施形態では、コンピュータ１０とトランザクション・サーバーの間の通信セッションは、ユーザにはＷＷＷの通信セッションのように見えるように構成される。すなわち、コンピュータ１０とトランザクション・サーバーとの間のインターフェースは、ユーザが、コンピュータがＷＷＷ上の通信を中止し、ＷＷＷから分離された安全なネットワーク上で通信を開始したことに仮想的には気づかないように、ＷＷＷブラウザと同様のフォーマットで機能するよう設計される。ユーザの視点から見ると、このことは、比較的安全な方法でＷＷＷ上である品目を購入するタスクを単純化するので有利である。
【００１９】
本発明の１つの態様によれば、ユーザに提供される購入注文番号は、販売者のサーバーによって無作為に発行される。この特徴によって、承認されていないユーザがトランザクション・サーバーにダイアルし、勝手な購入注文番号によって注文をアクセスすることが防止される。さらに、トランザクション・サーバーは、ユーザが所定の回数（例えば３回）を超えて間違った注文番号を入力すると接続を終了するという制限を行うことができる。
【００２０】
図２と関連して議論された発明の実施形態では、ユーザのコンピュータ１０がトランザクション・サーバーとのコンタクトを開始しており、トランザクション・サーバーがユーザとのコンタクトを開始するのではない。本発明は両方の手続きを包含するが、後者の手続きが使われる場合、オープン・インターネット上の承認されない者がクレジット・カード承認のためのかけ直しの電話を要求するユーザから販売者へのメッセージを検出できるので、前者の手続きが有利である。この者はその後ユーザを呼びだし、トランザクション・サーバーのふりをしてユーザのクレジット・カード番号を不正に入手することができる。
【００２１】
当業技術分野に熟練した者が、ここに明示され説明されていなくとも、本発明の原理を実施する無数の装置を考案できることは明らかである。従って、添付の特許請求の範囲の精神と広い範囲にあるすべての代替案、変形および変更は、本発明の原理によって包含される。例えば、本発明は、インターネット上で取引を完了するための方法として、図１および図２に関して説明されたが、本発明は他のオープン通信システム上で同様に取引を完了するための方法に広範に適用可能である。
【図１】
2010055639.tif 000003
【図２】
2010055639.tif 000004